(57)【要約】【課題】放熱板の清掃性に優れた圧力式炊飯器を提供する。【解決手段】圧力式炊飯器を、炊飯器本体１に取付けた蓋２が、その蓋本体３の下面に着脱可能に装着される放熱板４を備え、この放熱板４の蒸気孔４３に臨む蒸気入口３５を蓋本体３に設け、この蒸気入口３５から外部まで連なる蒸気通路を蓋２内に設け、蒸気入口３５に挿入した調圧弁６０を介して蒸気入口３５と蒸気孔４３を連通させ、この調圧弁６０を蓋本体３に取付けた構成とした。【選択図】図２
2006087790.tif 000002
【特許請求の範囲】
【請求項１】
炊飯器本体に取付けた蓋が、その蓋本体下面に着脱可能に装着される放熱板を備え、この放熱板の蒸気孔に臨む蒸気入口を前記蓋本体に設け、この蒸気入口から外部まで連なる蒸気通路を前記蓋内に設け、前記蒸気入口に挿入した調圧弁を介して前記蒸気入口と前記蒸気孔とを連通させた圧力式炊飯器において、前記調圧弁を前記蓋本体に取付け、前記放熱板のうち、内鍋に臨む放熱部を平板状に形成したことを特徴とする圧力式炊飯器。
【請求項２】
前記調圧弁を、弁体と、この弁体が載る弁孔部を設けた筒状の弁座部材とにより構成し、前記弁座部材を前記蓋本体に取付け、この弁座部材により前記蒸気入口と前記蒸気孔とを連通させたことを特徴とする請求項１に記載の圧力式炊飯器。
【発明の詳細な説明】
【技術分野】
【０００１】
この発明は、炊飯時に内鍋内を大気圧以上にする圧力式炊飯器に関する。
【背景技術】
【０００２】
従来から、この種の圧力式炊飯器としては、図８に示すように、蓋本体８０を構成する蓋リング部材８１の下面にヒータ装着板８２を備え、このヒータ装着板８２と対面する放熱板８３を蓋リング部材８１の下面に着脱可能に装着し、この放熱板８３により内鍋８４を閉塞するようにしたものがある（特許文献１）。
【０００３】
放熱板８３には、バーリング部付きの蒸気孔８５が形成されている。蓋本体８０には、蒸気孔８５に臨む蒸気入口８６が設けられている。蒸気入口８６は、蓋リング部材８１に形成され、内鍋８４内の圧力を調整するための調圧弁８７が挿入されている。調圧弁８７は、弁孔部８８を設けた弁座部材８９と、弁孔部８８を自重で閉塞する弁体９０と、弁体９０に被さる弁カバー部材９１とを備える。弁座部材８９は、蒸気孔８５の内周面に着脱可能に嵌合され、弁カバー部材９１は、蒸気孔８５の外周面に着脱可能に嵌合されている。
【０００４】
【特許文献１】特開２００４−３３４２７号公報（図１参照）
【発明の開示】
【発明が解決しようとする課題】
【０００５】
しかしながら、特許文献１に記載のような構造では、放熱板８３を清掃する際、放熱板８３の蒸気孔８５に弁座部材８９と弁カバー部材９１が嵌合されているので、放熱板８３を隅々まで洗うことができない。このため、放熱板８３を隅々まで清掃するには、弁座部材８９と弁カバー部材９１を蒸気孔８５から外さなければならない。また、弁座部材８９と弁カバー部材９１を蒸気孔８５から外しても、蒸気孔８５のバーリング部分が放熱板８３の上面に突き出ているので、これが邪魔になって放熱板８３の洗浄や布拭きを行い難くい。このように、特許文献１に記載のような圧力式炊飯器には、放熱板の清掃性が悪いという問題があった。
【０００６】
そこで、この発明の課題は、放熱板の清掃性に優れた圧力式炊飯器を提供することにある。
【課題を解決するための手段】
【０００７】
上記課題を解決する手段として、この発明は、炊飯器本体に取付けた蓋が、その蓋本体下面に着脱可能に装着される放熱板を備え、この放熱板の蒸気孔に臨む蒸気入口を前記蓋本体に設け、この蒸気入口から外部まで連なる蒸気通路を前記蓋内に設け、前記蒸気入口に挿入した調圧弁を介して前記蒸気入口と前記蒸気孔を連通させた圧力式炊飯器において、前記調圧弁を前記蓋本体に取付け、前記放熱板のうち、内鍋に臨む放熱部を平板状に形成した構成を採用する。
【０００８】
この構成によれば、前記調圧弁を前記蓋本体に取付けたので、前記放熱板には、前記調圧弁の構成部材の取付け部（バーリング部分等）を設ける必要がなくなる。そこで、前記放熱板のうち、内鍋に臨む放熱部を、平板状に形成したので、前記放熱部をスポンジなどで洗浄し易くなり、前記放熱部の布拭き時に布巾が引っ掛ることもなくなる。
【０００９】
上記構成において、前記調圧弁を、弁体と、この弁体が載る弁孔部を設けた筒状の弁座部材とにより構成し、前記弁座部材を前記蓋本体に取付け、この弁座部材により前記蒸気入口と前記蒸気孔とを連通させた構成を採用すれば、前記放熱板を前記蓋本体から取り外しても、前記調圧弁がそのまま前記蓋本体側に残るので、前記調圧弁の分解・組立てを要することなく、放熱板の清掃を行うことができる。
【発明の効果】
【００１０】
上述のように、この発明によれば、前記放熱板の洗浄や布拭きが簡単になるので、放熱板の清掃性に優れた圧力式炊飯器を提供することができる。
【発明を実施するための最良の形態】
【００１１】
以下、この発明の第１実施形態に係る圧力式炊飯器を、図１〜図４に基づいて説明する。図１、図２に示すように、圧力式炊飯器は、炊飯器本体１とこれに取付けた蓋２とにより構成される。蓋２は、蓋本体３の下面に着脱可能に装着される放熱板４を備える。
【００１２】
蓋本体３には、上蓋部材３１と蓋リング部材３２とを結合し、蓋リング部材３２の下面にヒータ装着板３３を取付けた周知の構成のものが用いられている。
【００１３】
放熱板４は、炊飯器本体１の内鍋５に臨む平円板状の放熱部４１と、この外周縁に連設されたパッキン装着部４２とを有する。放熱部４１には、内鍋５に臨む蒸気孔４３が設けられている。パッキン装着部４２は、立上がり部４４と、その上端に形成された外向きの張出し部４５と、その張出し部４５の外端に下向きに形成された屈曲縁４６とからなる。パッキン装着部４２には、従来と同様に、蓋２を閉じた状態で蓋２と内鍋５との気密を保つ蓋パッキン４７が放熱板リング４８により一体に組合わされている。
【００１４】
蓋パッキン４７と放熱板リング４８を組み付けた状態で、蓋リング部材３２の下面に設けた環状装着部３２ａにパッキン装着部４２を嵌め、放熱板リング４８の爪部４８ａを、蓋リング部材３２に備え付けた可動式のフック部３４で押さえることにより、放熱板４は、蓋本体３に対し着脱可能に装着される。この装着状態で、放熱部４１はヒータ装着板３３と対面し、蒸気孔４３はヒータ装着板３３の開口部３３ａと、蓋リング部材３２に形成された蒸気入口３５とに臨む。
【００１５】
蒸気入口３５は、その鍔縁部３５ａの抜き孔３５ｂ（図４参照）を介して、鍔縁部３５ａの下面、ヒータ装着板３３の下面、ヒータ装着板３３の開口部３３ａと鍔縁部３５ａとの間隙を気密にシールするヒータパッキン３６、および、ヒータ装着板３３の外周と放熱部４１の外周近傍との間に介在させた環状パッキン部３７とで囲まれた対面隙間３８に通じている。
【００１６】
この対面隙間３８は、ヒータ装着板３３に設けた連通口３３ｂとゴム口部材３９を通じて、蓋リング部材３２に形成されたおねば溜まり５０と連通する。おねば溜まり５０には、蒸気口カバー５１が着脱可能に装着されている。このように、蓋２内には、蒸気入口３５から対面隙間３８、おねば溜まり５０、および蒸気口カバー５１を通じて外部に連なる蒸気通路が設けられている。勿論、蒸気通路はこのような構成に限定されない。
【００１７】
また、図３、図４に示すように、蒸気入口３５は、内鍋５内の圧力を調整するための調圧弁６０が挿入可能なように設けられている。この調圧弁６０は、ボール弁体６１と、弁座部材６２とにより構成される。
【００１８】
弁座部材６２は、上下方向に開口する弁孔部６３とボール弁体６１を弁孔部６３上に保持するボール受け部６４とを上面に設けた筒状の弁座部６５、および、この弁座部６５の下端外周に設けたフランジ部６６とを有する。フランジ部６６の外周上端には、前部と左右両側部の３箇所に外向きの係合爪６６ａ，６６ａ，６６ａが形成され、各係合爪間には、立壁部６６ｂ，６６ｂ，６６ｂが立設されている。また、フランジ部６６の外周後部に位置する立壁部６６ｂの上端には、外方に張り出す突片部６６ｃが形成されている。係合爪６６ａ，６６ａ，６６ａは、蒸気入口３５内の鍔縁部３５ａの上面に形成された爪受け部３５ｃ，３５ｃ，３５ｃにそれぞれ係合される。突片部６６ｃは、鍔縁部３５ａに形成された位置決め用の切欠き３５ｄに嵌合される。
【００１９】
調圧弁６０は、ボール弁体６１をボール受け部６４に載せた状態で、突片部６６ｃを切欠き３５ｄに嵌め、爪受け部３５ｃ，３５ｃ，３５ｃに係合爪６６ａ，６６ａ，６６ａを係止させることにより、蓋本体３に取付けられる。この取付け状態で、放熱板４を蓋本体３に装着すると、フランジ部６６の下端面に着脱可能に装着した弁座シール６６ｄが蒸気孔４３を囲むように放熱板４の上面に密着され、調圧弁６０の弁座部材６２を介して蒸気孔４３と蒸気入口３５とが気密に連通される。これにより、炊飯時、蓋本体３に装着した圧力センサ（図示省略）が内鍋５内の異常圧力を検知するようになる。圧力センサが異常圧力を検知してソレノイド５２を作動させた場合、ボール弁体６１は、蒸気入口３５のプランジャ挿通口を閉塞するプランジャパッキン５３を介して、プランジャ５４により弁孔部６３上から押し退けられる。
【００２０】
以上の構成によれば、放熱板４を取り外しても、調圧弁６０がそのまま蓋本体３側に残るので、調圧弁６０の分解・組立てを要することなく、放熱板４の清掃を行うことができる。また、放熱部４１が平板状に形成されているので、放熱板４の洗浄やその後の拭き取り等も容易に行える。
【００２１】
なお、この発明において、放熱部には、エッジをもたない屈曲部分を設けることができる。例えば、この第１実施形態では、放熱板４の強度を得るため、放熱部４１には、滑らかな断面山形に屈曲させた環状の補強部４９が設けられている（図２、図４参照）。また、調圧弁の構成部材の取付け手段として、蓋本体（例えば、蓋リング部材３２）に対するビス止めやリベット止めなどの他の手段を用いることもできる。
【００２２】
また、蒸気入口に挿入する調圧弁は、調圧弁６０のようなものに限られない。例えば、図５から図７に示す第２実施形態のようなものを用いることもできる。以下、第２実施形態について第１実施形態との相違点のみを説明し、共通する構成には同符号を付す。
【００２３】
蒸気入口３５に挿入される調圧弁７０は、弁体７１と、弁座部材７２と、コイルスプリング７３とを備えた周知のものである。弁座部材７２の弁孔部７４は、上下方向に長さをもって設けられている。弁体７１は、弁孔部７４に緩やかに挿通される弁脚部７５と、蒸気孔４３を閉塞するためのゴムシール７６が着脱可能に装着された弁頭部７７とを有する。
【００２４】
弁座部材７２を蒸気入口３５に取付けた状態で、コイルスプリング７３の上端を弁孔部７４の下縁凹部７４ａに嵌め、弁体７１の弁脚部７５をコイルスプリング７３に通して弁孔部７４に入れ、コイルスプリング７３の下端を弁頭部７７の上面凹部７７ａに嵌め、コイルスプリング７３を圧縮しながら放熱板４を蓋本体３に装着すると、調圧弁７０は蓋本体３に取付けられる。なお、調圧弁７０の場合、ソレノイドで弁体７１を操作することがないので、これに関する構成は省略されている。
【図面の簡単な説明】
【００２５】
【図１】第１実施形態に係る圧力式炊飯器の蓋を開放した状態を示す全体斜視図。
【図２】第１実施形態の蓋部分の拡大縦断側面図。
【図３】図２の開弁状態にある調圧弁部分の拡大縦断側面図。
【図４】第１実施形態の調圧弁部分の弁座シールが外れた状態を示した概略分解斜視図。
【図５】第２実施形態に係る蓋部分の拡大縦断側面図。
【図６】図５の閉弁状態にある調圧弁部分の拡大縦断側面図。
【図７】第２実施形態の調圧弁部分の弁座シールとゴムシールが外れた状態を示した概略分解斜視図。
【図８】従来例の部分縦断側面図。
【符号の説明】
【００２６】
１  炊飯器本体
２  蓋
３  蓋本体
４  放熱板
５  内鍋
３１  上蓋部材
３２  蓋リング部材
３２ａ  環状装着部
３３  ヒータ装着板
３３ａ  開口部
３３ｂ  連通口
３４  フック部
３５  蒸気入口
３５ａ  鍔縁部
３５ｂ  抜き孔
３５ｃ  爪受け部
３５ｄ  切欠き
３６  ヒータパッキン
３７  環状パッキン部
３８  対面隙間
３９  ゴム口部材
４１  放熱部
４２  パッキン装着部
４３  蒸気孔
４４  立上がり部
４５  張出し部
４６  屈曲縁
４７  蓋パッキン
４８  放熱板リング
４８ａ  爪部
４９  補強部
５０  おねば溜まり
５１  蒸気口カバー
５２  ソレノイド
５３  プランジャパッキン
５４  プランジャ
６０  調圧弁
６１  ボール弁体
６２  弁座部材
６３  弁孔部
６４  ボール受け部
６５  弁座部
６６  フランジ部
６６ａ  係合爪
６６ｂ  立壁部
６６ｃ  突片部
６６ｄ  弁座シール
７０  調圧弁
７１  弁体
７２  弁座部材
７３  コイルスプリング
７４  弁孔部
７４ａ  下縁凹部
７５  弁脚部
７６  ゴムシール
７７  弁頭部
７７ａ  上面凹部
８０  蓋本体
８１  蓋リング部材
８２  ヒータ装着板
８３  放熱板
８４  内鍋
８５  蒸気孔
８６  蒸気入口
８７  調圧弁
８８  弁孔部
８９  弁座部材
９０  弁体
９１  弁カバー部材
【図１】
2006087790.tif 000003
【図２】
2006087790.tif 000004
【図３】
2006087790.tif 000005
【図４】
2006087790.tif 000006
【図５】
2006087790.tif 000007
【図６】
2006087790.tif 000008
【図７】
2006087790.tif 000009
【図８】
2006087790.tif 000010